(57)【特許請求の範囲】
【請求項１】
カラー有機ＥＬパネルを備えた映像表示装置において、入力Ｇ信号レベルを、入力Ｒ信号レベルおよび入力Ｂ信号レベルに基づいて補正するＧ信号補正処理回路を備えており、
Ｇ信号補正処理回路は、入力映像のうちＧ信号が占める割合が大きい領域において、入力Ｇ信号レベルを大きくさせるものであることを特徴とするカラー有機ＥＬパネルを備えた映像表示装置。
【請求項２】
カラー有機ＥＬパネルを備えた映像表示装置において、入力Ｇ信号レベルを、入力Ｒ信号レベルおよび入力Ｂ信号レベルに基づいて補正するＧ信号補正処理回路を備えており、
Ｇ信号補正処理回路は、
各カラー画素に対応する入力ＲＧＢ信号毎に、入力Ｇ信号レベルが、入力Ｒ信号の所定倍より大きくかつ入力Ｂ信号の所定倍より大きいことという条件を満たしているか否かを判定する判定手段、および
上記条件を満たしているときに、入力Ｇ信号レベルを大きくさせるＧ信号強調手段、
を備えていることを特徴とするカラー有機ＥＬパネルを備えた映像表示装置。
【発明の詳細な説明】
【０００１】
【発明の属する技術分野】
この発明は、カラー有機ＥＬパネルを備えた映像表示装置に関する。
【０００２】
【従来の技術】
近年、有機エレクトロルミネッセンス（ＥＬ）現象を用いた有機ＥＬ素子がイーストマン・コダック社のＣ・Ｗ・Ｔａｎｇ氏等により開発されている。このような有機ＥＬ素子は、低電圧の直流で駆動可能な自己発光型の表示素子であり、視野角が広く、表示面が明るく、かつ本体が薄くて軽い等、液晶パネルを凌ぐ利点を有している。このため、壁掛け用や携帯用のテレビ等の表示素子として大きく期待されている。
【０００３】
ところで、有機ＥＬ素子をカラーテレビの表示素子として用いた場合には、ＲＧＢをそれぞれ発光する３つの有機ＥＬ素子で、１つのカラー画素が構成される。このような表示パネルでは、有機ＥＬ素子の種類によっては、ＲＧＢの各発光素子の発色性能が不十分となり、表示される映像が不自然な色合いに見える問題がある。特に、有機ＥＬ素子の種類によっては、Ｇ発光素子の発光特性（入力階調に対する発光輝度特性）に問題があり、森のシーンなど緑が多くを占める画面がくすんで見えてしまう問題があった。
【０００４】
【発明が解決しようとする課題】
この発明は、緑が多くを占める領域において、より鮮やかな映像を提示させることができるようになるカラー有機ＥＬパネルを備えた映像表示装置を提供することを目的とする。
【０００５】
【課題を解決するための手段】
請求項１に記載の発明は、カラー有機ＥＬパネルを備えた映像表示装置において、入力Ｇ信号レベルを、入力Ｒ信号レベルおよび入力Ｂ信号レベルに基づいて補正するＧ信号補正処理回路を備えており、Ｇ信号補正処理回路は、入力映像のうちＧ信号が占める割合が大きい領域において、入力Ｇ信号レベルを大きくさせるものであることを特徴とする。
【０００６】
請求項２に記載の発明は、カラー有機ＥＬパネルを備えた映像表示装置において、入力Ｇ信号レベルを、入力Ｒ信号レベルおよび入力Ｂ信号レベルに基づいて補正するＧ信号補正処理回路を備えており、Ｇ信号補正処理回路は、各カラー画素に対応する入力ＲＧＢ信号毎に、入力Ｇ信号レベルが、入力Ｒ信号の所定倍より大きくかつ入力Ｂ信号の所定倍より大きいことという条件を満たしているか否かを判定する判定手段、および上記条件を満たしているときに、入力Ｇ信号レベルを大きくさせるＧ信号強調手段を備えていることを特徴とする。
【０００８】
【発明の実施の形態】
以下、図面を参照して、この発明の実施の形態について説明する。
【０００９】
図１は、カラー有機ＥＬパネルが表示素子として用いられたテレビの構成を示している。
【００１０】
この実施の形態では、カラー有機ＥＬパネル７内のＧ発光素子として、入力階調に対する発光輝度が、他の色の発光素子に比べて低いものが用いられているものとする。
【００１１】
アンテナ１によって受信されたテレビ放送の電波は、チューナ２によって復調された後、ＮＴＳＣデコーダ回路３によってＲＧＢ信号と音声信号とが取り出される。
【００１２】
ＮＴＳＣデコーダ回路３によって得られたＲＧＢ信号は、ＡＤ変換回路４によってＲＧＢ各８ビットのデジタルデータに変換された後、Ｇ信号補正処理回路５に入力される。Ｇ信号補正処理回路５は、入力されたＲＧＢデータに基づいて、Ｇデータに対する補正処理（Ｇ信号補正処理）を行った後、ＲＧＢ各８ビットのデジタルデータを出力する。
【００１３】
Ｇ信号補正処理回路５から出力されたＲＧＢデータは、ＤＡ変換回路６によってアナログデータに変換された後、カラー有機ＥＬパネル７に送られて表示される。
【００１４】
ＮＴＳＣデコーダ回路３によって得られた音声信号は、音声出力回路８を経てスピーカ９に送られて、音声出力される。なお、チューナ２、ＮＴＳＣデコーダ回路３およびカラー有機ＥＬパネル７は、制御回路１０によって制御される。
【００１５】
Ｇ信号補正処理回路５は、カラー有機ＥＬパネル７内のＧ発光素子の入力階調に対する発光輝度が、ＲＢ発光素子の入力階調に対する発光輝度に比べて低いことを考慮して、緑が多く占める領域において、Ｇ信号を強調するための処理を行う。緑が多く占める領域のみＧ信号を強調するのは、それ以外の領域においてＧ信号を強調すると、色バランスがくずれるからである。
【００１６】
図２は、Ｇ信号補正処理回路５によるＧ信号補正処理手順を示している。
【００１７】
Ｇ信号補正処理は、各カラー画素に対応する入力ＲＧＢ信号毎に行われる。図２は、１つのカラー画素（注目カラー画素）に対応する入力ＲＧＢ信号に対して行われるＧ信号補正処理手順を示している。
【００１８】
まず、注目カラー画素に対応する入力Ｇデータ（０〜２５５）と入力Ｒデータ（０〜２５５）とに基づいて、次式（１）に示される第１条件を満たしているか否かを判定する（ステップ１）。
【００１９】
Ｇ＞ａ・Ｒ      …（１）
【００２０】
上記式（１）において、ａは定数であり、たとえば、５〜７の範囲内の値に設定される。
【００２１】
第１条件を満たしていない場合には、Ｇデータの補正を行わない。つまり、入力されたＧデータを、そのままＧデータとして出力する。第１条件を満たしている場合には、注目カラー画素に対応する入力Ｇデータ（０〜２５５）と入力Ｂデータ（０〜２５５）とに基づいて、次式（２）に示される第２条件を満たしているか否かを判定する（ステップ２）。
【００２２】
Ｇ＞ｂ・Ｂ      …（２）
【００２３】
上記式（２）において、ｂは定数であり、たとえば、５〜７の範囲内の値に設定される。
【００２４】
第２条件を満たしていない場合には、Ｇデータを補正は行わない。つまり、入力されたＧデータを、そのままＧデータとして出力する。第２条件を満たしている場合には、Ｇデータを、次式（３）に基づいて、補正する（ステップ３）。
【００２５】
Ｇ’＝ｃ・Ｇ              …（３）
【００２６】
上記式（３）において、Ｇ’は補正後のＧデータを表している。また、ｃは定数であり、たとえば、１．１〜１．２の範囲内の値に設定される。
【００２７】
この後、ステップ３で補正されたＧデータ（Ｇ’）が２５５を越えているか否かを判定する（ステップ４）。ステップ３で補正されたＧデータ（Ｇ’）が２５５を越えていない場合には、ステップ３で補正されたＧデータ（Ｇ’）を、Ｇデータとして出力する。
【００２８】
ステップ３で補正されたＧデータ（Ｇ’）が２５５を越えている場合には、Ｇデータ（Ｇ’）の値を２５５に変更した後（ステップ５）、Ｇデータとして出力する。
【００２９】
以上のようなＧ信号補正処理を行うことにより、通常映像での色バランスを保持するとともに、森のシーンなど緑が多くを占める画面においてＧ信号を強調し、より鮮やかな映像を提示させることができる。
【００３０】
上記実施の形態では、カラー画素単位でＧ信号補正処理を行っているが、より大きな単位領域毎に、緑が多く占める領域か否かを判定し、緑が多く占める領域であると判定された領域に対するＧ信号を強調するようにしてもよい。
【００３１】
【発明の効果】
この発明によれば、緑が多くを占める領域において、より鮮やかな映像を提示させることができるようになる。
【図面の簡単な説明】
【図１】カラー有機ＥＬパネルが表示素子として用いられたテレビの構成を示している。
【図２】Ｇ信号補正処理回路５によるＧ信号補正処理手順を示している。
【符号の説明】
５  Ｇ信号補正処理回路
７  カラー有機ＥＬパネル
１０  制御回路
【図１】
0003995497.tif 000002
【図２】
0003995497.tif 000003